(57)【特許請求の範囲】
【請求項１】
コンピュータが実行する、
ユーザが使用するユーザ端末から、前記ユーザを識別するユーザ識別情報と、前記ユーザが使用を希望するクーポンを識別するクーポン識別情報と、前記ユーザが決済するための決済用コードの発行要求とを受信するステップと、
前記決済用コードの発行要求を受信すると、前記決済用コードを生成するための決済用トークンを生成するステップと、
前記ユーザ識別情報と、前記クーポン識別情報と、前記決済用トークンとを関連付けて記憶部に記憶させるステップと、
前記決済用トークンを前記ユーザ端末に送信するステップと、
店舗において使用され、前記決済用トークンに基づいて前記ユーザ端末が表示した前記決済用コードを読み取った店舗端末から、前記決済用トークンと、前記ユーザの前記店舗における決済に対応する決済情報とを受信するステップと、
前記店舗端末から受信した決済情報が示す決済に、前記店舗端末から受信した前記決済用トークンに関連付けられて前記記憶部に記憶されている前記クーポン識別情報が示すクーポンが適用可能か否かを判定するステップと、
前記クーポンが前記決済に適用可能であると判定すると前記クーポンを適用して前記決済を行い、適用された前記クーポンの利用状態を変更し、前記クーポンが前記決済に適用可能ではないと判定すると前記クーポンを適用せずに前記決済を行うとともに前記クーポン識別情報と前記ユーザ識別情報との関連付けを保持するステップと、
前記ユーザ端末から、前記ユーザ識別情報と、新たな決済用コードの発行要求とを受信するステップと、
前記ユーザ識別情報と、前記ユーザ識別情報との関連付けが保持された前記クーポン識別情報と、前記発行要求に基づき新たな決済用コードを生成するために発行された新規決済用トークンとを関連付けて前記記憶部に記憶させるステップと、
を有する決済処理方法。
【請求項２】
前記コンピュータは、前記クーポン識別情報と前記新規決済用トークンとを関連付けて前記記憶部に記憶させるステップにおいて、前記クーポン識別情報が示すクーポンが利用可能であると判定すると、前記クーポン識別情報と前記新規決済用トークンとを関連付けて前記記憶部に記憶させる、
請求項１に記載の決済処理方法。
【請求項３】
前記コンピュータが、決済用トークンを前記ユーザ端末に送信するステップにおいて、前記ユーザ端末に表示させる情報として、前記ユーザ識別情報と関連付けられている前記クーポン識別情報に対応するクーポンを示す情報を前記ユーザ端末に送信するステップをさらに有する、
請求項１又は２に記載の決済処理方法。
【請求項４】
前記コンピュータが、前記ユーザ識別情報との関連付けが保持された前記クーポン識別情報と、前記新規決済用トークンとが関連付けて前記記憶部に記憶されると、前記ユーザ識別情報と関連付けられている前記クーポン識別情報に対応するクーポンを示す情報を前記ユーザ端末に送信するステップをさらに有する、
請求項１から３のいずれか１項に記載の決済処理方法。
【請求項５】
前記コンピュータは、前記ユーザ端末において前記決済を行うためのアプリケーションの終了により前記決済が行われずに、当該アプリケーションが再起動して前記新たな決済用コードの発行要求を受信した場合において、前記ユーザ識別情報と前記クーポン識別情報とが関連付けられて前記記憶部に記憶されているとき、前記ユーザ識別情報と、前記クーポン識別情報とに、前記新たな決済用コードを生成するための新たな決済用トークンとを関連付けるステップをさらに有する、
請求項１から４のいずれか１項に記載の決済処理方法。
【請求項６】
前記コンピュータは、前記決済が行われない場合に、前記新たな決済用コードを生成するための新たな決済用トークンを関連付けるステップにおいて、前記新たな決済用コードの発行要求を受信した場合に、前記ユーザ識別情報と、前記クーポン識別情報と、前記決済用トークンとが関連付けられて前記記憶部に記憶されているとき、前記クーポン識別情報と、前記決済用トークンとの関連付けを解除し、前記ユーザ識別情報と、前記クーポン識別情報と、前記新たな決済用コードを生成するための新たな決済用トークンとを関連付けて前記記憶部に記憶させる、
請求項５に記載の決済処理方法。
【請求項７】
前記決済用コードの発行要求を受信するステップは、
前記コンピュータが実行する、
前記ユーザ端末から、前記決済用コードの発行要求を受信する前に、前記ユーザ識別情報と前記クーポン識別情報とを受信するステップと、
受信した前記ユーザ識別情報と前記クーポン識別情報とを関連付けて前記記憶部に記憶させるステップと、
前記クーポン識別情報を受信した後に、前記決済用コードの発行要求を受信するステップと、
を有する、
請求項１から６のいずれか１項に記載の決済処理方法。
【請求項８】
前記コンピュータは、前記関連付けを保持するステップにおいて、前記決済に適用された前記クーポンの利用状態が、前記クーポンが使用できなくなったことを示している場合、前記決済に適用された前記クーポンの前記クーポン識別情報と、前記ユーザ識別情報との関連付けを解除する、
請求項１から７のいずれか１項に記載の決済処理方法。
【請求項９】
前記コンピュータは、前記新規決済用トークンを関連付けて前記記憶部に記憶させるステップにおいて、前記ユーザ端末から前記クーポンの関連付けに関する指示を受け付けることなく、前記ユーザ識別情報との関連付けが保持された前記クーポン識別情報と、前記発行要求に基づき新たな決済用コードを生成するために発行された新規決済用トークンとを関連付けて前記記憶部に記憶させる、
請求項１から８のいずれか１項に記載の決済処理方法。
【請求項１０】
前記コンピュータは、
前記クーポン識別情報を受信するステップにおいて、前記ユーザ端末から複数の前記クーポン識別情報を受信し、
前記記憶部に記憶させるステップにおいて、前記ユーザ識別情報と、複数の前記クーポン識別情報と、前記決済用トークンとを関連付けて前記記憶部に記憶させる、
請求項１から９のいずれか１項に記載の決済処理方法。
【請求項１１】
前記コンピュータが実行する、
前記店舗とは異なる他の店舗の店舗端末から、当該店舗端末に対応する店舗を識別するための店舗情報と、ユーザが前記他の店舗で行う決済に対応する決済情報と、新たな決済用コードの発行要求とを受信するステップと、
受信した前記店舗情報と、前記決済情報と、前記新たな決済用コードを生成するための新規決済用トークンとを関連付けて記憶部に記憶させるステップと、
前記新規決済用トークンを前記他の店舗の店舗端末に送信するステップと、
前記新規決済用トークンに基づいて前記他の店舗の店舗端末が表示した前記新たな決済用コードを読み取った前記ユーザ端末から、前記新規決済用トークンと、前記ユーザ識別情報とを受信するステップと、
受信した前記ユーザ識別情報と、当該ユーザ識別情報との関連付けが保持された前記クーポン識別情報と、前記新規決済用トークンとを関連付けて前記記憶部に記憶させるステップと、
前記ユーザ端末から受信した前記新規決済用トークンに関連付けられて前記記憶部に記憶されている前記クーポン識別情報が示すクーポンが前記新規決済用トークンに対応する決済に適用可能である場合、当該クーポンを適用して、受信した前記新規決済用トークンに関連付けられている前記決済情報に対応する前記決済を行うステップと、
をさらに有する、
請求項１から１０のいずれか１項に記載の決済処理方法。
【請求項１２】
前記コンピュータが実行する、
前記店舗とは異なる他の店舗においてユーザに提示される決済用コードに対応する新規決済用トークンを生成して記憶部に記憶させるステップと、
前記他の店舗においてユーザに提示される前記決済用コードを読み取った前記ユーザ端末から、当該決済用コードに対応する前記新規決済用トークンと、ユーザが前記他の店舗で行う決済に対応する決済情報と、前記ユーザ識別情報とを受信するステップと、
受信した前記ユーザ識別情報と、当該ユーザ識別情報との関連付けが保持された前記クーポン識別情報と、前記新規決済用トークンとを関連付けて前記記憶部に記憶させるステップと、
前記ユーザ端末から受信した前記新規決済用トークンに関連付けられて前記記憶部に記憶されている前記クーポン識別情報が示すクーポンが前記新規決済用トークンに対応する決済に適用可能である場合、当該クーポンを適用して、受信した前記決済情報に対応する前記決済を行うステップと、
をさらに有する、
請求項１から１０のいずれか１項に記載の決済処理方法。
【請求項１３】
ユーザが使用するユーザ端末から、前記ユーザを識別するユーザ識別情報と、前記ユーザが使用を希望するクーポンを識別するクーポン識別情報と、前記ユーザが決済するための決済用コードの発行要求とを受信する要求受信部と、
前記決済用コードの発行要求を受信すると、前記決済用コードを生成するための決済用トークンを生成し、前記ユーザ識別情報と、前記クーポン識別情報と、前記決済用トークンとを関連付けて記憶部に記憶させるとともに、前記決済用トークンを前記ユーザ端末に送信するトークン送信部と、
店舗において使用され、前記決済用トークンに基づいて前記ユーザ端末が表示した前記決済用コードを読み取った店舗端末から、前記決済用トークンと、前記ユーザの前記店舗における決済に対応する決済情報とを受信する決済用情報受信部と、
前記店舗端末から受信した決済情報が示す決済に、前記店舗端末から受信した前記決済用トークンに関連付けられて前記記憶部に記憶されている前記クーポン識別情報が示すクーポンが適用可能か否かを判定し、前記クーポンが前記決済に適用可能であると判定すると前記クーポンを適用して前記決済を行い、適用された前記クーポンの利用状態を変更し、前記クーポンが前記決済に適用可能ではないと判定すると前記クーポンを適用せずに前記決済を行うとともに前記クーポン識別情報と前記ユーザ識別情報との関連付けを保持する決済処理部と、
を有し、
前記トークン送信部は、前記要求受信部が、前記ユーザ端末から、前記ユーザ識別情報と、新たな決済用コードの発行要求とを受信すると、前記ユーザ識別情報と、前記ユーザ識別情報との関連付けが保持された前記クーポン識別情報と、前記発行要求に基づき新たな決済用コードを生成するために発行された新規決済用トークンとを関連付けて前記記憶部に記憶させる、
決済処理装置。
【発明の詳細な説明】
【技術分野】
【０００１】
本発明は、決済処理方法及び決済処理装置に関する。
【背景技術】
【０００２】
ＱＲコード（登録商標）等の二次元バーコードを用いたコード決済が普及している（例えば、特許文献１、特許文献２を参照）。コード決済は、店舗側が表示した二次元バーコードをユーザ端末により読み取るか、ユーザ端末が表示した二次元バーコードを店舗側が読み取ることにより決済が行われる。
【先行技術文献】
【特許文献】
【０００３】
【特許文献１】特許６５１３８６１号公報
【特許文献２】特許６４７３５３９号公報
【発明の概要】
【発明が解決しようとする課題】
【０００４】
ユーザが予め利用したいクーポン、または利用したくないクーポンを指定しておき、コード決済において指定条件に従ってクーポンが適用または非適用とされるサービスがある。ここで、コード決済が完了した場合に、ユーザが指定したクーポンの指定条件が解除されてしまう可能性がある。この場合、ユーザがクーポンの指定条件を再度設定する必要があり、ユーザに負担が生じていた。
【０００５】
そこで、本発明はこれらの点に鑑みてなされたものであり、ユーザの負担を軽減することができる決済処理方法及び決済処理装置を提供することを目的とする。
【課題を解決するための手段】
【０００６】
本発明の第１の態様に係る決済処理方法は、コンピュータが実行する、ユーザが使用するユーザ端末から、前記ユーザを識別するユーザ識別情報と、前記ユーザが使用を希望するクーポンを識別するクーポン識別情報と、前記ユーザが決済するための決済用コードの発行要求とを受信するステップと、前記決済用コードの発行要求を受信すると、前記決済用コードを生成するための決済用トークンを生成するステップと、前記ユーザ識別情報と、前記クーポン識別情報と、前記決済用トークンとを関連付けて記憶部に記憶させるステップと、前記決済用トークンを前記ユーザ端末に送信するステップと、店舗において使用され、前記決済用トークンに基づいて前記ユーザ端末が表示した前記決済用コードを読み取った店舗端末から、前記決済用トークンと、前記ユーザの前記店舗における決済に対応する決済情報とを受信するステップと、前記店舗端末から受信した決済情報が示す決済に、前記店舗端末から受信した前記決済用トークンに関連付けられて前記記憶部に記憶されている前記クーポン識別情報が示すクーポンが適用可能か否かを判定するステップと、前記クーポンが前記決済に適用可能であると判定すると前記クーポンを適用して前記決済を行い、適用された前記クーポンの利用状態を変更し、前記クーポンが前記決済に適用可能ではないと判定すると前記クーポンを適用せずに前記決済を行うとともに前記クーポン識別情報と前記ユーザ識別情報との関連付けを保持するステップと、前記ユーザ端末から、前記ユーザ識別情報と、新たな決済用コードの発行要求とを受信するステップと、前記ユーザ識別情報と、前記ユーザ識別情報との関連付けが保持された前記クーポン識別情報と、前記発行要求に基づき新たな決済用コードを生成するために発行された新規決済用トークンとを関連付けて前記記憶部に記憶させるステップと、を有する。
【０００７】
本発明の第２の態様に係る決済処理装置は、ユーザが使用するユーザ端末から、前記ユーザを識別するユーザ識別情報と、前記ユーザが使用を希望するクーポンを識別するクーポン識別情報と、前記ユーザが決済するための決済用コードの発行要求とを受信する要求受信部と、前記決済用コードの発行要求を受信すると、前記決済用コードを生成するための決済用トークンを生成し、前記ユーザ識別情報と、前記クーポン識別情報と、前記決済用トークンとを関連付けて記憶部に記憶させるとともに、前記決済用トークンを前記ユーザ端末に送信するトークン送信部と、店舗において使用され、前記決済用トークンに基づいて前記ユーザ端末が表示した前記決済用コードを読み取った店舗端末から、前記決済用トークンと、前記ユーザの前記店舗における決済に対応する決済情報とを受信する決済用情報受信部と、前記店舗端末から受信した決済情報が示す決済に、前記店舗端末から受信した前記決済用トークンに関連付けられて前記記憶部に記憶されている前記クーポン識別情報が示すクーポンが適用可能か否かを判定し、前記クーポンが前記決済に適用可能であると判定すると前記クーポンを適用して前記決済を行い、適用された前記クーポンの利用状態を変更し、前記クーポンが前記決済に適用可能ではないと判定すると前記クーポンを適用せずに前記決済を行うとともに前記クーポン識別情報と前記ユーザ識別情報との関連付けを保持する決済処理部と、を有し、前記トークン送信部は、前記要求受信部が、前記ユーザ端末から、前記ユーザ識別情報と、新たな決済用コードの発行要求とを受信すると、前記ユーザ識別情報と、前記ユーザ識別情報との関連付けが保持された前記クーポン識別情報と、前記発行要求に基づき新たな決済用コードを生成するために発行された新規決済用トークンとを関連付けて前記記憶部に記憶させる。
【発明の効果】
【０００８】
本発明によれば、ユーザの負担を軽減することができるという効果を奏する。
【図面の簡単な説明】
【０００９】
【図１】決済システムの概要を示す図である。
【図２】決済処理装置の機能構成を示す図である。
【図３】クーポン情報の一例を示す図である。
【図４】ユーザ端末の機能構成を示す図である。
【図５】店舗端末の機能構成を示す図である。
【図６】決済システムの動作シーケンス図である。
【図７】図６に続く動作シーケンス図である。
【発明を実施するための形態】
【００１０】
［決済システムＳの概要］
図１は、決済システムＳの概要を示す図である。決済システムＳは、ユーザが店舗において商品又はサービスを購入する場合に、ユーザが所持するユーザ端末からの要求に応じて決済用コードをユーザ端末に表示させ、店舗側で決済用コードが読み込まれたことに応じて決済を行うシステムである。決済用コードは、店舗での精算に用いられる店舗側の端末において読み取れるテキスト又は画像であり、決済時に用いられるコードである。
【００１１】
決済システムＳは、決済処理装置１と、ユーザ端末２と、店舗端末３とを備える。決済処理装置１は、購入金額の決済を行うサーバである。ユーザ端末２は、ユーザが使用する情報端末であり、例えばスマートフォン、タブレット又はパーソナルコンピュータである。店舗端末３は、例えばＰＯＳ端末である。
以下、図１を参照しながら、決済が完了するまでの流れを説明する。
【００１２】
ユーザは、店舗において商品やサービスの購入を行う。ユーザは、店舗において会計を行う場合に、決済用のアプリケーションソフトウェアを起動する。ユーザは、アプリケーションソフトウェアにおいて、決済においてユーザが使用を希望するクーポンを選択する操作を行う。また、ユーザは、決済用コードをユーザ端末２に表示させるための操作を行う。ユーザ端末２は、ユーザを識別するためのユーザ識別情報としてのユーザＩＤと、クーポンを識別するためのクーポン識別情報としてのクーポンＩＤと、決済用コードの発行要求とを決済処理装置１に送信する（図１における（１））。ユーザＩＤは、例えば、決済処理装置１に係るサービスを提供する事業者がユーザに付与するＩＤである。
【００１３】
決済処理装置１は、ユーザ端末２から、クーポン決済用コードの発行要求を受信すると、決済用トークンを生成する（図１における（２））。決済用トークンは、ユーザが店舗で提示する決済用コードをユーザ端末２が生成する際に用いるデータ列である。決済処理装置１は、生成した決済用トークンと、受信したユーザＩＤと、受信したクーポンＩＤとを関連付けて記憶媒体に記憶する（図１における（３））。
【００１４】
決済処理装置１は、生成した決済用トークンをユーザ端末２に送信する（図１における（４））。決済処理装置１は、決済用トークンを暗号化した後に、暗号化した決済用トークンをユーザ端末２に送信してもよい。
【００１５】
ユーザ端末２は、受信した決済用トークンに基づいて決済用コードを生成して表示させる（図１における（５））。
ユーザは、店舗のレジで商品の購入代金を精算する際に決済用コードを提示する。そして、例えば店員の操作により、店舗端末３が、ユーザ端末２に表示された決済用コードを読み取る（図１における（６））。
【００１６】
店舗端末３は、ユーザの店舗における商品又はサービスの購入に関する決済情報を生成する。決済情報には、例えばユーザの商品購入に係る決済金額が含まれている。店舗端末３は、生成した決済情報と、読み取った決済用コードが示す決済用トークンとを含む決済要求を決済処理装置１に送信する（図１における（７））。
【００１７】
決済処理装置１は、店舗端末３から決済要求を受信すると、受信した決済要求に含まれる決済用トークンが、ユーザ端末２に送信した決済用トークンと一致するか否かを判定する。決済処理装置１は、２つの決済用トークンが一致すると判定した場合に、決済用トークンと関連付けられているクーポンＩＤに対応する適用条件に基づいて、当該クーポンＩＤが示すクーポンが決済に適用可能か否かを判定する（図１における（８））。
【００１８】
決済処理装置１は、決済要求と、クーポンＩＤと、ユーザＩＤとに基づく決済処理を行う（図１における（９））。具体的には、決済処理装置１は、クーポンが決済に適用可能であると判定するとクーポンを適用して決済を行い、適用されたクーポンＩＤが示すクーポンの利用状態を変更する。
【００１９】
従来の決済処理装置は、クーポンが決済に適用可能ではないと判定すると、クーポンＩＤとユーザＩＤとの関連付けを解消していた。このため、ユーザは、当該クーポンＩＤのクーポンを使用する場合、再び当該クーポンの指定を行う必要がありユーザの手間がかかっていた。これに対し、決済処理装置１は、クーポンが決済に適用可能ではないと判定するとクーポンを適用せずに決済を行い、クーポンＩＤとユーザＩＤとの関連付けを保持する。その後、決済処理装置１は、ユーザ端末２からクーポンＩＤを受信することなく、ユーザＩＤと、新たな決済用コードの発行要求を受信したとする。この場合において、クーポンＩＤとユーザＩＤとの関連付けが保持されていると、決済処理装置１は、受信したユーザＩＤと、当該ユーザＩＤとの関連付けが保持されているクーポンＩＤと、新たな決済用コードに対応する新規決済用トークンとを関連付けて記憶する。
【００２０】
決済システムＳが以上のように動作することで、ユーザが新たにコード決済を利用して商品の購入を行う場合に、クーポンを選択しなくとも、ユーザＩＤとの関連付けが保持されているクーポンＩＤに基づくクーポンの適用を受けることができる。したがって、決済システムＳでは、決済に適用されなかったクーポンの選択をユーザが再設定する必要がないので、ユーザの負担を軽減することができる。
以下、決済処理装置１、ユーザ端末２及び店舗端末３の構成の詳細を説明する。
【００２１】
［決済処理装置１の機能構成］
図２は、決済処理装置１の機能構成を示す図である。決済処理装置１は、通信部１１と、記憶部１２と、制御部１３とを有する。
【００２２】
通信部１１は、インターネット等のネットワークを介してユーザ端末２及び店舗端末３とデータを送受信するための通信インターフェースである。
【００２３】
記憶部１２は、各種のデータを記憶する記憶媒体であり、ＲＯＭ（Read Only Memory）、ＲＡＭ（Random Access Memory）、及びハードディスク等を有する。記憶部１２は、制御部１３が実行するプログラムを記憶する。記憶部１２は、制御部１３を、要求受信部１３１、トークン送信部１３２、決済用情報受信部１３３、及び決済処理部１３４として機能させる決済用プログラムを記憶する。
【００２４】
また、記憶部１２は、クーポンを識別するためのクーポンＩＤと、当該クーポンの決済に対する適用条件と、特典内容とを少なくとも関連付けたクーポン情報を記憶する。図３は、クーポン情報の一例を示す図である。図３に示すように、クーポン情報は、クーポンＩＤと、クーポンの適用条件と、特典内容と、クーポンの説明文とを関連付けた情報である。クーポンの適用条件には、クーポンの有効期限、クーポンが適用される店舗の店舗ＩＤ、クーポンが適用される商品の商品ＩＤ、及びクーポンが利用可能な回数を示す利用可能回数が含まれている。
【００２５】
制御部１３は、例えばＣＰＵ（Central Processing Unit）である。制御部１３は、記憶部１２に記憶された決済用プログラムを実行することにより、要求受信部１３１、トークン送信部１３２、決済用情報受信部１３３、及び決済処理部１３４として機能する。制御部１３の各部の動作の詳細については後述する。
【００２６】
［ユーザ端末２の機能構成］
図４は、ユーザ端末２の機能構成を示す図である。ユーザ端末２は、操作部２１と、通信部２２と、表示部２３と、記憶部２４と、制御部２５とを有する。制御部２５は、操作受付部２５１と、要求送信部２５２と、コード生成部２５３と、表示制御部２５４とを有する。
【００２７】
操作部２１は、ユーザの操作を受け付ける操作デバイスであり、例えば表示部２３の表面に設けられたタッチパネルである。操作部２１は、ユーザがタッチした位置を示す信号を操作受付部２５１に通知する。
【００２８】
通信部２２は、例えば携帯電話網の基地局との間でデータを送受信するための無線通信インターフェースである。通信部２２は、決済処理装置１から受信した決済用トークン等をコード生成部２５３に入力する。
表示部２３は、各種の情報を表示するディスプレイである。表示部２３は、コード生成部２５３の制御に基づいて、決済用コードを表示する。
【００２９】
記憶部２４は、ＲＯＭ及びＲＡＭ等を含む記憶媒体である。記憶部２４は、制御部２５が実行するプログラムを記憶している。記憶部２４は、制御部２５を、操作受付部２５１、要求送信部２５２、コード生成部２５３及び表示制御部２５４として機能させるプログラムを記憶する。また、記憶部２４は、決済処理装置１から受信した決済用トークン、及び決済用トークンに基づいて生成された決済用コード等を記憶する。
【００３０】
制御部２５は、例えばＣＰＵであり、記憶部２４に記憶されたプログラムを実行することにより、操作受付部２５１、要求送信部２５２、コード生成部２５３及び表示制御部２５４として機能する。
【００３１】
操作受付部２５１は、操作部２１から入力された信号に基づいて、ユーザの操作内容を特定する。操作受付部２５１は、特定した操作内容が、決済用コードをユーザ端末２に表示させるための操作である場合に、ユーザが使用可能なクーポンを表示部２３に表示させ、クーポンの選択を受け付ける。ここで、操作受付部２５１は、複数のクーポンの選択を受け付けてもよい。操作受付部２５１は、ユーザがクーポンを選択すると、操作内容を要求送信部２５２に通知する。要求送信部２５２は、通信部２２を介して、選択された一以上のクーポンを示すクーポンＩＤと、ユーザＩＤと、決済用コードの発行要求とを決済処理装置１に送信する。
【００３２】
なお、操作受付部２５１は、決済用コードをユーザ端末２に表示させる操作とは別に、ユーザが使用を希望するクーポンの選択操作をユーザから受け付けてもよい。この場合、操作受付部２５１は、特定した操作内容が、クーポンの選択操作である場合に、ユーザが使用可能なクーポンを表示部２３に表示させ、クーポンの選択を受け付ける。操作受付部２５１は、ユーザがクーポンを選択すると、操作内容を要求送信部２５２に通知する。要求送信部２５２は、通信部２２を介して、選択された一以上のクーポンを示すクーポンＩＤと、ユーザＩＤとを決済処理装置１に送信する。その後、操作受付部２５１は、決済用コードをユーザ端末２に表示させる操作を受け付けると、操作内容を要求送信部２５２に通知する。要求送信部２５２は、通信部２２を介して、ユーザＩＤと、決済用コードの発行要求とを決済処理装置１に送信する。
【００３３】
コード生成部２５３は、決済処理装置１から決済用トークンが送信されると、決済用トークンに基づく決済用コードを生成する。コード生成部２５３は、例えば、予め定められた規則に基づいて決済用コードを生成する。コード生成部２５３は、生成した決済用コードを表示部２３に表示させる。
【００３４】
表示制御部２５４は、決済処理装置１から決済が完了したことを示す決済完了情報を受信すると、当該決済完了情報を表示部２３の同一の画面上に表示させる。
【００３５】
［店舗端末３の機能構成］
図５は、店舗端末３の機能構成を示す図である。店舗端末３は、操作部３１と、読取部３２と、通信部３３と、表示部３４と、記憶部３５と、制御部３６とを有する。
【００３６】
操作部３１は、ユーザの操作を受け付ける操作デバイスであり、例えばユーザが購入する商品を選択するためのボタンや、表示部３４の表面に設けられたタッチパネルである。
読取部３２は、例えば、バーコードリーダ及びカメラであり、ユーザが購入する商品に付されているバーコードや、ユーザ端末２が表示した決済用コードを読み取る。読取部３２は、読み取ったバーコード及び決済用コードが示す情報を制御部３６に出力する。
【００３７】
通信部３３は、例えば決済処理装置１との間でデータを送受信するための通信インターフェースである。通信部３３は、制御部３６の制御に応じて、決済用トークン、決済情報を含む決済要求を決済処理装置１に送信する。
表示部３４は、各種の情報を表示するディスプレイである。表示部３４は、例えば、決済金額を表示する。
【００３８】
記憶部３５は、ＲＯＭ及びＲＡＭ等を含む記憶媒体である。記憶部３５は、制御部３６が実行するプログラムを記憶している。記憶部３５は、制御部３６を、決済用情報生成部３６１、トークン取得部３６２、及び決済用情報送信部３６３として機能させるプログラムを記憶する。また、記憶部３５は、商品ＩＤと、商品の価格とを関連付けた商品ＤＢを記憶する。
【００３９】
制御部３６は、例えばＣＰＵであり、記憶部３５に記憶されたプログラムを実行することにより、決済用情報生成部３６１、トークン取得部３６２、及び決済用情報送信部３６３として機能する。
【００４０】
決済用情報生成部３６１は、決済対象の一以上の商品を特定し、決済情報を生成する。具体的には、決済用情報生成部３６１は、操作部３１において店員が入力した商品ＩＤ又は読取部３２が商品に付されたバーコードから読み取った商品ＩＤを取得することにより、取得した商品ＩＤの商品を決済対象の商品と特定する。決済用情報生成部３６１は、記憶部３５に記憶されている商品ＤＢを参照し、取得した商品ＩＤに関連付けられている商品の価格を特定する。決済用情報生成部３６１は、操作部３１において店員が入力した商品ＩＤ又は読取部３２が商品に付されたバーコードから読み取った商品ＩＤを一以上取得し、当該商品ＩＤから特定した商品の価格を集計する。決済用情報生成部３６１は、操作部３１において精算操作を受け付けると、集計した商品の価格を決済金額に決定する。
【００４１】
決済用情報生成部３６１は、決定した決済金額と、読み取った商品ＩＤと、店舗を識別するための店舗情報としての店舗ＩＤと、決済時刻としての現在時刻を示す決済時刻情報とを含む決済情報を生成する。ここで、決済時刻情報は、現在時刻に限らず、例えば、決済用コードが読み取られた時刻を示す時刻情報であってもよい。
【００４２】
トークン取得部３６２は、読取部３２が、ユーザ端末２に表示された決済用コードを読み取ることにより、決済用コードから抽出した情報を、決済用トークンとして取得する。
決済用情報送信部３６３は、決済用情報生成部３６１が決済情報を生成し、トークン取得部３６２が決済用トークンを取得すると、通信部３３を介して、決済用トークンと、決済情報とを含む決済要求を決済処理装置１に送信する。
【００４３】
［制御部１３の各部の動作］
続いて、制御部１３の各部の動作について説明する。
要求受信部１３１は、ユーザ端末２から、ユーザ端末２のユーザのユーザＩＤと、当該ユーザが使用を希望する一以上のクーポンのそれぞれを識別するクーポンＩＤと、当該ユーザが店舗で決済するための決済用コードの発行要求とを受信する。
【００４４】
ここで、要求受信部１３１は、決済用コードの発行要求を受信する前に、ユーザＩＤと、クーポンＩＤとを受信してもよい。この場合、要求受信部１３１は、受信したユーザＩＤと、受信した一以上のクーポンＩＤとを関連付けて記憶部１２に記憶させておく。そして、要求受信部１３１は、クーポンＩＤを受信した後に、ユーザＩＤと、決済用コードの発行要求とを受信する。
【００４５】
トークン送信部１３２は、要求受信部１３１が決済用コードの発行要求を受信すると、当該発行要求とともに受信したユーザＩＤに対応した決済用コードを生成するための決済用トークンをユーザ端末に送信する。具体的には、まずトークン送信部１３２は、要求受信部１３１が決済用コードの発行要求を受信すると、決済用トークンを生成する。
【００４６】
続いて、トークン送信部１３２は、記憶部１２に記憶されているクーポン情報を参照し、受信したクーポンＩＤに関連付けられているクーポンの利用可能回数を特定する。トークン送信部１３２は、要求受信部１３１が受信したユーザＩＤと、受信した一以上のクーポンＩＤと、生成した決済用トークンと、特定した利用可能回数とを関連付けて記憶部１２に記憶させる。
【００４７】
トークン送信部１３２は、要求受信部１３１がクーポンＩＤを受信してユーザＩＤとクーポンＩＤとが関連付けられて記憶部１２に記憶された後、決済用コードの発行要求を受信すると、当該決済用コードの発行要求とともに受信したユーザＩＤに関連付けられて記憶部１２に記憶されているクーポンＩＤを特定する。そして、トークン送信部１３２は、当該ユーザＩＤと、当該クーポンＩＤと、生成した決済用トークンと、クーポンの利用可能回数とを関連付けて記憶部１２に記憶させる。
【００４８】
トークン送信部１３２は、生成した決済用トークンを、決済用コードの発行要求を送信したユーザ端末２に送信する。ここで、トークン送信部１３２は、ユーザ端末２に表示させる情報として、ユーザＩＤと関連付けられているクーポンＩＤに対応するクーポンを示す情報をユーザ端末２に送信してもよい。そして、ユーザ端末２の表示制御部２５４は、決済処理装置１からユーザＩＤと関連付けられているクーポンＩＤに対応するクーポンを示す情報を受信すると、当該情報を表示部２３に表示させる。このようにすることで、ユーザは、現在選択されているクーポンを確認することができる。
【００４９】
決済用情報受信部１３３は、トークン送信部１３２が送信した決済用トークンに基づいてユーザ端末２が表示した決済用コードを読み取った店舗端末３から、決済用トークンと、ユーザの店舗における商品又はサービスの購入に関する決済情報とを含む決済要求を受信する。
【００５０】
決済処理部１３４は、店舗端末３から受信した決済要求に含まれる決済情報と、店舗端末３から受信した決済用トークンに対応するユーザＩＤと、当該決済用トークンに関連付けられているクーポンＩＤとに基づいて決済を実行する。
【００５１】
具体的には、まず、決済用情報受信部１３３が決済要求を受信すると、当該決済要求に含まれる決済用トークンと一致する決済用トークンが記憶部１２に記憶されているか否かを判定する。決済処理部１３４は、一致する決済用トークンが記憶部１２に記憶されていると判定すると、当該決済用トークンに関連付けられて記憶部１２に記憶されているクーポンＩＤ及びユーザＩＤを特定する。
【００５２】
続いて、決済処理部１３４は、店舗端末３から受信した決済情報が示す決済に、特定したクーポンＩＤが示すクーポンが適用可能か否かを判定する。決済処理部１３４は、記憶部１２に記憶されているクーポン情報を参照し、受信した決済用トークンに関連付けられて記憶部１２に記憶されているクーポンＩＤに関連付けられているクーポンの適用条件を特定する。決済処理部１３４は、決済情報に含まれる店舗ＩＤ及び商品ＩＤの少なくともいずれかが特定した適用条件に含まれているか否か、及び現在の日付が有効期限よりも前の日付であるか否かを判定することにより、クーポンが適用可能か否かを判定する。
【００５３】
決済処理部１３４は、クーポンが決済に適用可能であると判定するとクーポンを適用して決済を行う。決済処理部１３４は、決済情報に含まれている決済金額に対し、クーポンが示す特典内容に基づいて割引を行い、取得したユーザＩＤで特定されるユーザの口座から引き落とす処理を実行する。また、決済処理部１３４は、決済情報に含まれている店舗ＩＤで特定される店舗の口座に、割引後の決済金額を入金する処理を実行する。
【００５４】
また、決済処理部１３４は、適用されたクーポンＩＤが示すクーポンの利用状態を変更する。例えば、決済処理部１３４は、受信した決済用トークンに関連付けられているクーポンの利用可能回数を減算することによりクーポンの利用状態を変更する。決済処理部１３４は、クーポンを適用することによりクーポンの利用状態が変更され、クーポンの利用可能回数が０回である場合、すなわち、クーポンの利用状態が、クーポンが使用できなくなったことを示している場合、決済に適用されたクーポンのクーポンＩＤと、ユーザＩＤとの関連付けを解除する。
【００５５】
一方、決済処理部１３４は、クーポンが決済に適用可能ではないと判定するとクーポンを適用せずに決済を行い、クーポンＩＤとユーザＩＤとの関連付けを保持する。
なお、クーポンの割引額を決済事業者が負担する場合、決済処理部１３４は、決済情報に含まれている店舗ＩＤで特定される店舗の口座に、割引前の決済金額を入金する処理を実行してもよい。また、決済処理部１３４は、決済金額から、決済処理装置１における決済手数料を差し引いた金額を、店舗の口座に入金してもよい。決済処理部１３４は、決済金額の決済が完了すると、決済が完了したことを示す決済完了情報をユーザ端末２及び店舗端末３に通知する。
【００５６】
決済処理部１３４による決済が完了した後にユーザが再びコード決済を利用して決済を行う場合、要求受信部１３１は、ユーザ端末２から、ユーザ端末２のユーザのユーザＩＤと、クーポンＩＤと、新たな決済用コードの発行要求とを受信する。この場合に、ユーザがクーポンを選択しなかった場合には、要求受信部１３１は、ユーザ端末２から、ユーザＩＤと新たな決済用コードの発行要求とのみを受信する。
【００５７】
トークン送信部１３２は、ユーザＩＤと新たな決済用コードの発行要求とを受信すると、新たな決済用コードに対応する新規決済用トークンを生成する。トークン送信部１３２は、決済用コードの発行要求とともにクーポンＩＤを受信せず、ユーザＩＤと新たな決済用コードの発行要求とのみを受信した場合において、ユーザＩＤと、クーポンＩＤとが関連付けて記憶部１２に記憶されているとき、ユーザ端末２からクーポンの関連付けに関する指示を受け付けることなく、ユーザＩＤと、ユーザＩＤとの関連付けが保持されたクーポンＩＤと、新規決済用トークンとを関連付けて記憶部１２に記憶させる。ここで、トークン送信部１３２は、ユーザＩＤと新たな決済用コードの発行要求とのみを受信した場合には、クーポン情報を参照して、ユーザＩＤと関連付けられているクーポンＩＤが示すクーポンが利用可能であるか否かを判定してもよい。そして、トークン送信部１３２は、クーポンが利用可能であると判定すると、クーポンＩＤとユーザＩＤと新規決済用トークンとを関連付けて記憶部１２に記憶させてもよい。
【００５８】
トークン送信部１３２は、ユーザＩＤとの関連付けが保持されたクーポンＩＤと、新規決済用トークンとが関連付けて記憶部１２に記憶されると、ユーザＩＤと関連付けられているクーポンＩＤに対応するクーポンを示す情報をユーザ端末２に送信する。ユーザ端末２の表示制御部２５４は、決済処理装置１からユーザＩＤと関連付けられているクーポンＩＤに対応するクーポンを示す情報を受信すると、当該情報を表示部２３に表示させる。このようにすることで、ユーザは、自身が過去に選択し、過去の決済において適用されなかったクーポンの選択が保持されていることを確認することができる。
【００５９】
なお、上述の説明では、決済処理部１３４により決済処理が行われた後に、新規決済用トークンが生成された場合に、ユーザＩＤと、ユーザＩＤとの関連付けが保持されたクーポンＩＤと、新規決済用トークンとが関連付けられて記憶部１２に記憶される例を説明したが、決済が行われる前に決済用のアプリケーションソフトウェアが何らかの理由により終了し、決済が行われないことがある。決済が行われない場合、決済処理装置１は、ユーザＩＤと、クーポンＩＤと、決済用トークンとの関連付けを保持し続ける。
【００６０】
トークン送信部１３２は、決済用のアプリケーションソフトウェアの終了により決済が行われずに、アプリケーションソフトウェアが再起動して要求受信部１３１が新たな決済用コードの発行要求を受信した場合において、ユーザＩＤとクーポンＩＤと決済用トークンとが関連付けられて記憶部１２に記憶されているとき、当該クーポンＩＤと決済用トークンとの関連付けを解除する。そして、トークン送信部１３２は、ユーザＩＤと、クーポンＩＤとに、新たな決済用コードを生成するための新たな決済用トークンとを関連付ける。このようにすることで、決済処理装置１は、決済が行われる前に決済用のアプリケーションソフトウェアが終了する等によりクーポンが適用されなかった場合に、当該クーポンを次回の決済に適用することができる。
【００６１】
［動作シーケンス］
図６は、決済システムＳの動作シーケンス図である。図７は、図６に続く動作シーケンス図である。
図６に示すシーケンス図は、商品等を店舗で購入するユーザがユーザ端末２において決済用コードの表示操作をしたところから開始している（Ｓ１）。ユーザが決済用コードの表示操作をすると、要求送信部２５２は、ユーザが使用するクーポンの選択を受け付け、ユーザＩＤと、選択されたクーポンのクーポンＩＤと、決済用コードの発行要求とを決済処理装置１に送信する（Ｓ２）。
【００６２】
決済処理装置１の要求受信部１３１が、ユーザ端末２から、ユーザＩＤと、クーポンＩＤと、決済用コードの発行要求とを取得すると、トークン送信部１３２は、決済用トークンを生成する（Ｓ３）。トークン送信部１３２は、ユーザＩＤと、クーポンＩＤと、生成した決済用トークンとを関連付けて記憶部１２に記憶させる（Ｓ４）。トークン送信部１３２は、生成した決済用トークンを、決済用コードの発行要求を送信したユーザ端末２に送信する（Ｓ５）。
【００６３】
ユーザ端末２のコード生成部２５３は、決済処理装置１から受信した決済用トークンに基づく決済用コードを生成し、生成した決済用コードを表示部２３に表示させる（Ｓ６）。ユーザが店舗において、ユーザ端末２に表示された決済用コードを提示し、店舗端末３の読取部３２が決済用コードを読み取る（Ｓ７）。
【００６４】
また、店舗端末３の決済用情報生成部３６１は、操作部３１において店員が入力した商品ＩＤ又は読取部３２が商品に付されたバーコードから読み取った商品ＩＤに基づいて商品の価格を特定し、決済金額を算出する（Ｓ８）。店舗端末３の決済用情報送信部３６３は、Ｓ８において算出された決済金額、店舗ＩＤ及び商品ＩＤを含む決済情報と、Ｓ７において読み取られた決済用コードに含まれている決済用トークンとを含む決済要求を決済処理装置１に送信する（Ｓ９）。
【００６５】
図７に説明を移す。決済処理装置１の決済用情報受信部１３３は、店舗端末３から、決済情報と、決済用トークンとを含む決済要求を受信する。決済処理部１３４は、記憶部１２に記憶されている決済用トークンと、受信した決済用トークンが一致する場合に、当該決済用トークンと関連付けられているクーポンＩＤを特定する（Ｓ１０）。決済処理部１３４は、特定したクーポンＩＤが示すクーポンの決済への適用可否を判定する（Ｓ１１）。
【００６６】
続いて、決済処理部１３４は、決済処理を行う（Ｓ１２）。具体的には、決済処理部１３４は、クーポンが決済に適用可能であると判定するとクーポンを適用して決済を行い、決済用トークンに関連付けられているクーポンの利用状態を変更する。決済処理部１３４は、クーポンが決済に適用可能ではないと判定するとクーポンを適用せずに決済を行い、クーポンＩＤとユーザＩＤとの関連付けを保持する。本シーケンスでは、クーポンが決済に適用可能ではないと判定され、クーポンＩＤとユーザＩＤとの関連付けが保持されているものとする。
【００６７】
続いて、決済処理部１３４は、決済完了情報をユーザ端末２に送信する（Ｓ１３）。ユーザ端末２の表示制御部２５４は、決済処理装置１から決済完了情報を受信すると、決済完了情報を表示部２３に表示させる（Ｓ１４）。
【００６８】
その後、ユーザ端末２において新たに決済用コードの表示操作が行われたものとする（Ｓ１５）。この場合において、ユーザがクーポンの選択をしなかったときには、要求送信部２５２は、ユーザＩＤと、決済用コードの発行要求とを決済処理装置１に送信する（Ｓ１６）。
【００６９】
決済処理装置１の要求受信部１３１が、ユーザ端末２から、ユーザＩＤと、決済用コードの発行要求とを取得すると、トークン送信部１３２は、決済用トークンを生成する（Ｓ１７）。トークン送信部１３２は、受信したユーザＩＤと、クーポンＩＤとが関連付けて記憶されている場合、当該ユーザＩＤと、クーポンＩＤと、決済用トークンとを関連付けて記憶部１２に記憶させる（Ｓ１８）。このようにすることで、ユーザがクーポンの選択をしなかった場合であっても、決済用トークンと、クーポンＩＤとが関連付けられ、当該クーポンＩＤが示すクーポンが決済用トークンに対応する決済に適用することができる。以降の処理は、Ｓ５からＳ１３までの処理と同じであるので説明を省略する。
【００７０】
［変形例］
以上の説明においては、決済処理装置１は、ユーザ端末２から新たな決済用コードの発行要求とを受信すると、ユーザＩＤと、当該ユーザＩＤとの関連付けが保持されたクーポンＩＤと、当該発行要求に基づき新たな決済用コードを生成するために発行された新規決済用トークンとを関連付けて記憶部１２に記憶させることとしたが、これに限らない。例えば、コード決済の方式には、店舗端末３が表示した決済用コードを読み取ったユーザ端末２が決済用トークンとユーザＩＤとを決済処理装置に送信し、決済処理装置が当該決済用トークンとユーザＩＤとに基づいて決済処理を行う方式も存在する。そこで、決済処理装置１が、当該方式において受信した決済用トークンに対し、ユーザＩＤと、当該ユーザＩＤとの関連付けが保持されたクーポンＩＤとの関連付けを行うようにしてもよい。以下に、この場合の処理を簡単に説明する。
【００７１】
要求受信部１３１は、上述した店舗とは異なる他の店舗の店舗端末である他店舗端末（不図示）から、当該他店舗端末に対応する店舗を識別するための店舗ＩＤと、ユーザが当該他の店舗で行う決済に対応する決済情報と、新たな決済用コードの発行要求とを受信する。
【００７２】
トークン送信部１３２は、受信した店舗ＩＤと、決済情報と、新たな決済用コードを生成するための新規決済用トークンとを関連付けて記憶部１２に記憶させるとともに、新規決済用トークンを他店舗端末に送信する。
【００７３】
決済用情報受信部１３３は、新規決済用トークンに基づいて他店舗端末が表示した新たな決済用コードを読み取ったユーザ端末２から、新規決済用トークンと、ユーザＩＤとを受信する。決済用情報受信部１３３は、受信したユーザＩＤと、当該ユーザＩＤとの関連付けが保持されたクーポンＩＤと、新規決済用トークンとを関連付けて記憶部１２に記憶させる。
【００７４】
決済処理部１３４は、ユーザ端末２から受信した新規決済用トークンに関連付けられて記憶部１２に記憶されているクーポンＩＤが示すクーポンが、新規決済用トークンに対応する決済に適用可能であるか否かを判定する。決済処理部１３４は、クーポンが決済に適用可能であると判定すると当該クーポンを適用して、受信したユーザＩＤと、新規決済用トークンに関連付けられて記憶部１２に記憶されている決済情報及び店舗ＩＤとに基づく決済を行い、適用されたクーポンの利用状態を変更する。また、決済処理部１３４は、当該クーポンが決済に適用可能ではないと判定すると当該クーポンを適用せずに決済を行うとともにクーポンＩＤとユーザＩＤとの関連付けを保持する。このようにすることで、決済処理装置１は、コード決済の方式が混在する場合であっても、ユーザＩＤとの関連付けが保持されているクーポンＩＤと、新規決済用トークンとの関連付けを行うことができる。
【００７５】
なお、本変形例において、要求受信部１３１は、他店舗端末から、店舗ＩＤと、決済情報と、決済用コードの発行要求とを受信したが、これに限らず、決済情報を受信せずに、決済用コードの発行要求を取得してもよく、決済用コードの発行要求元の店舗を識別する店舗ＩＤに対応して新たな決済用コードを発行し、当該コードをコードの発行要求元の店舗に提供できる。ここで、新たな決済用コードは店舗ＩＤを含むコードであってもよい。この場合、トークン送信部１３２は、新たな決済用コードに対応する新規決済用トークンを生成して記憶部１２に記憶させる。決済用情報受信部１３３は、他店舗において、例えば他店舗の端末上に表示されたり、紙に印刷されたりした新たな決済用コードを読み取ったユーザ端末２から、新たな決済用コードに対応する新規決済用トークン及びユーザＩＤとともに、ユーザの他店舗における決済金額を含む決済情報を受信する。そして、決済処理部１３４は、ユーザ端末２から受信したユーザＩＤ及び決済情報と、新規決済用トークンに関連付けられて記憶部１２に記憶されている店舗ＩＤに基づく決済を行う。
【００７６】
［決済システムＳによる効果］
以上説明したように、本実施形態に係る決済処理装置１は、店舗端末３から受信した決済情報が示す決済に、店舗端末３から受信した決済用トークンに関連付けられて記憶部１２に記憶されているクーポンＩＤが示すクーポンが適用可能か否かを判定し、クーポンが決済に適用可能ではないと判定するとクーポンを適用せずに決済を行い、クーポンＩＤとユーザＩＤとの関連付けを保持する。そして、決済処理装置１は、ユーザ端末２から、ユーザＩＤと、新たな決済用コードの発行要求とを受信すると、ユーザＩＤと、ユーザＩＤとの関連付けが保持されたクーポンＩＤと、発行要求に基づき新たな決済用コードを生成するために発行された新規決済用トークンとを関連付けて記憶部１２に記憶させる。ユーザが新たにコード決済を利用して商品の購入を行う場合に、クーポンを選択しなくとも、ユーザＩＤとの関連付けが保持されているクーポンＩＤに基づくクーポンの適用を受けることができる。したがって、決済システムＳでは、決済に適用されなかったクーポンの選択をユーザが再設定する必要がないので、ユーザの負担を軽減することができる。
【００７７】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００７８】
１  決済処理装置
２  ユーザ端末
３  店舗端末
１１  通信部
１２  記憶部
１３  制御部
２１  操作部
２２  通信部
２３  表示部
２４  記憶部
２５  制御部
３１  操作部
３２  読取部
３３  通信部
３４  表示部
３５  記憶部
３６  制御部
１３１  要求受信部
１３２  トークン送信部
１３３  決済用情報受信部
１３４  決済処理部
２５１  操作受付部
２５２  要求送信部
２５３  コード生成部
２５４  表示制御部
３６１  決済用情報生成部
３６２  トークン送信部
３６３  決済用情報送信部
【要約】
【課題】ユーザの負担を軽減する。
【解決手段】決済処理装置１は、店舗端末３から受信した決済情報が示す決済に、店舗端末３から受信した決済用トークンに関連付けられて記憶部１２に記憶されているクーポンＩＤが示すクーポンが適用可能ではないと判定するとクーポンを適用せずに決済を行うとともにクーポンＩＤとユーザＩＤとの関連付けを保持する決済処理部１３４と、ユーザ端末２から、ユーザＩＤと、新たな決済用コードの発行要求とを受信すると、ユーザＩＤと、当該ユーザＩＤとの関連付けが保持されたクーポンＩＤと、当該発行要求に基づき新たな決済用コードを生成するために発行された新規決済用トークンとを関連付けて記憶部１２に記憶させるトークン送信部１３２とを有する。
【選択図】図２【図１】
0006868151.tif 000002
【図２】
0006868151.tif 000003
【図３】
0006868151.tif 000004
【図４】
0006868151.tif 000005
【図５】
0006868151.tif 000006
【図６】
0006868151.tif 000007
【図７】
0006868151.tif 000008